(57)【要約】      （修正有）【課題】塗布中の快適さ、特に塗布の柔らかさおよび均一さ、ならびにアプリケータの自律性も改善する塗布デバイスを提供する。【解決手段】化粧品またはケア製品を包装および唇に塗布するデバイス１であって、唇に塗布される製品を収容する容器２と、少なくとも４つの長手方向、横断方向、または斜めの部材の間に形成された少なくとも３つのアパーチャを有するアプリケータ部材６と、を備えるデバイス１。【選択図】図１
2019022666.tif 000002
【特許請求の範囲】
【請求項１】
化粧品またはケア製品を包装および唇に塗布するデバイス（１）であって、
−  唇に塗布される製品（Ｐ）を収容する容器（２）と、
−  アプリケータ部材（６）であって、
ａ）２つの対向する主塗布面（１１、１２）を規定し、
ｂ）少なくとも４つの長手方向、横断方向、または斜めの部材（１６、１７）間に形成された少なくとも３つのアパーチャ（１５）を有し、前記部材（１６、１７）の厚さが前記２つの対向する塗布面（１１、１２）の間隔を規定し、かつ前記間隔が３ｍｍ未満である、アプリケータ部材（６）と、
を備える、デバイス。
【請求項２】
前記部材（１６、１７）の厚さが、０．３ｍｍから３ｍｍの間である、請求項１に記載のデバイス。
【請求項３】
前記アプリケータ部材が、フレームまたは中心コアを形成する１つまたは複数の主部材（１６）と、前記フレームまたは前記中心コアに接続された少なくとも２つの二次部材（１７）と、を備える、請求項１または２に記載のデバイス。
【請求項４】
前記主部材（１６）の厚さ（ｅ１）が、０．５ｍｍから３ｍｍの間、さらに良いのは０．５ｍｍから２．５ｍｍの間である、請求項３に記載のデバイス。
【請求項５】
前記二次部材（１７）の厚さ（ｅ２）が、１．５ｍｍ未満、好ましくは０．５ｍｍから１．５ｍｍの間、さらに良いのは０．５ｍｍから１ｍｍの間である、請求項３または４に記載のデバイス。
【請求項６】
少なくとも１つの部材（１６、１７）の断面が、以下のリスト、すなわち、円形、卵形、楕円形、多角形、矩形から選択された形状を有する、請求項１から５のいずれか一項に記載のデバイス。
【請求項７】
前記２つの対向する主塗布面（１１、１２）が、互いにほぼ平行である、請求項１から６のいずれか一項に記載のデバイス。
【請求項８】
前記アパーチャ（１５）が、その長手方向軸に沿って測定された、少なくとも６ｍｍ、さらに良いのは少なくとも７ｍｍの長手方向寸法（ｌ）を有する、請求項１から７のいずれか一項に記載のデバイス。
【請求項９】
２つの連続部材間の間隔（ｅ）が、０．５ｍｍから４ｍｍの間、さらに良いのは０．５ｍｍから３ｍｍの間である、請求項１から８のいずれか一項に記載のデバイス。
【請求項１０】
前記アプリケータ部材が、フロッキングを備える、請求項１から９のいずれか一項に記載のデバイス。
【請求項１１】
前記フロッキングの毛の長さが、前記アパーチャの一方の縁と前記アパーチャの反対側の縁との間の距離の半分よりも大きい、または前記アパーチャの一方の縁と前記アパーチャの反対側の縁との間の距離の半分に等しい、請求項１０に記載のデバイス。
【請求項１２】
前記フロッキングの毛の長さが、０．８ｍｍから１．２ｍｍの間である、請求項１０または１１に記載のデバイス。
【請求項１３】
前記アプリケータ部材が、ステム（４）の端部に取り付けられ、前記ステム（４）は、その他方の端部が、前記容器（２）を閉鎖するように構成された把持部材（５）に固定された、請求項１から１２のいずれか一項に記載のデバイス。
【請求項１４】
前記アプリケータ部材が、前記ステムの長手方向軸（Ｙ）と角度（α）を形成する長手方向軸（Ｘ）に沿って延在する、請求項１３に記載のデバイス。
【請求項１５】
主部材（１６）、好ましくはまっすぐな主部材（１６）であって、前記アプリケータ部材（６）の長手方向軸（Ｘ）に沿って延在する、主部材（１６）と、互いに離隔された複数の二次部材（１７）であって、前記二次部材（１７）間に前記アパーチャ（１５）を規定する、複数の二次部材（１７）と、を備え、前記二次部材（１７）が、好ましくは前記アプリケータ部材（６）の自由端（１３０）に向かって凹状である円弧形を有し、前記二次部材（１７）が、好ましくは、前記自由端（１３０）に近づくにつれて減少する前記アプリケータ部材（６）の幅（ｗ）を規定する、請求項１から１４のいずれか一項に記載のデバイス。
【発明の詳細な説明】
【技術分野】
【０００１】
本発明は、製品を唇に塗布する包装および塗布デバイスに関する。製品は、化粧品またはケア製品、特にメイクアップ、たとえばリップスティック、リップグロス、またはケア製品であってよい。
【０００２】
本発明は、より詳細には、限定するものではないが、ステムによって担持され、製品により充填された容器に通される製品アプリケータ部材をアプリケータが備えるデバイスに関する。
【背景技術】
【０００３】
特許文献１には、傾斜した部分を有するアプリケータ部材を備える、リップスティックを塗布するデバイスが記載されている。製品は、アプリケータ部材の端部で小さな表面に堆積する。
【０００４】
特許文献２は、アプリケータ部材を不均一に拭くように、アプリケータ部材がステムの遠位部分の長手方向軸からある距離にある遠位端を有し、アプリケータ部材の一方の側には他方の側よりも多くの製品を堆積させることができるデバイスを開示している。
【０００５】
特許文献３、特許文献４、および特許文献５には、製品を保持することを意図した中央空洞の境界を定める２つのアームを有するアプリケータ部材を備える、唇に製品を塗布するアプリケータが開示されている。これらのアプリケータでは、塗布表面は唇との接触において比較的低い柔軟性を有する。
【０００６】
特許文献６には、アプリケータ部材の片側にある、製品を充填するための開口と、すべてが開口の反対側に位置しており塗布のために製品がそこから供給される１つまたはいくつかのスロットとを備えるデバイスが記載されている。
【０００７】
特許文献７では、複数の同心ループによって形成される塗布部材が開示されており、互いに近接して取り付けられている２つのループの間にアパーチャはない。
【０００８】
特許文献８には、基部本体の遠位半分に貫通孔を有するスパーテルのような基部本体を備えるデバイスが開示されており、基部本体の厚さは、ステム接続側の円形で丸い断面から自由な外縁に向かって減少し、塗布中にブラシのような感覚を作り出す。
【０００９】
特許文献９では、支持体と前記支持体に固定された複数の半径方向不連続体とを含む、単一のプラスチック部品を形成するマスカラアプリケータが開示されており、前記不連続体は、複数の空洞および／または浮き彫りになった複数の要素を形成し、製品との高接触表面および高い保持容量を提供する。
【００１０】
特許文献１０では、管状壁によって取り囲まれた内部空洞と製品を保持する外部空洞とを備える、一体となって成形されたマスカラアプリケータが記載されている。
【先行技術文献】
【特許文献】
【００１１】
【特許文献１】欧州特許出願第１１９５１０５号
【特許文献２】欧州特許出願第１０５３６９５号
【特許文献３】欧州特許出願第１６２３６５０号
【特許文献４】仏国特許出願第２９５１９２０号
【特許文献５】仏国特許出願第２８８６１１２号
【特許文献６】欧州特許出願第１４４０６２９号
【特許文献７】欧州特許第０１９６２８２号
【特許文献８】欧州特許出願第１６４５２０４号
【特許文献９】米国特許出願第２００５／０２１７６９１号
【特許文献１０】仏国特許出願第２８９５８８７号
【特許文献１１】米国特許出願第２００５／００２８８３４号
【特許文献１２】米国特許出願第２００５／０１７５３９４号
【特許文献１３】米国特許出願第２００４／０２５８４５３号
【特許文献１４】米国特許第６３７５３７４号
【特許文献１５】米国特許第６３２８４９５号
【特許文献１６】米国特許第７４５５４６８号
【特許文献１７】米国特許出願第２００５／０２３２６８１号
【特許文献１８】仏国特許第０８５４０１１号
【発明の概要】
【発明が解決しようとする課題】
【００１２】
唇に製品を塗布するために使用される包装および塗布デバイスをさらに改善することが必要である。
【００１３】
一方の端から他方の端までの唇の変化する外形に適合可能であり、迅速で正確な塗布を可能にするアプリケータを提供することに特に関心が持たれている。塗布中の快適さ、特に塗布の柔らかさおよび均一さ、ならびにアプリケータの自律性も改善することが必要である。
【課題を解決するための手段】
【００１４】
したがって、本発明は、その態様のうちの１つによれば、化粧品またはケア製品を包装し唇に塗布するデバイスであって、
−  唇に塗布される製品を含む容器と、
−  好ましくは少なくとも４つの長手方向、横断方向、または斜めの部材の間に形成された、好ましくは少なくとも３つのアパーチャを備えるアプリケータ部材と、
を備えるデバイスに関する。
【００１５】
アプリケータ部材は、塗布中に空間内の少なくとも２つの方向において非常に高い可撓度を有する。したがって、塗布の高度の柔軟性が得られる。アプリケータ部材は、長手方向および横断方向に同時に変形することができる。したがって、塗布表面は、唇の形状に容易に適合することができる。
【００１６】
そのうえ、アパーチャは、拭い取りの後でも製品を格納するための多数の小さなリザーバを構成し、それによってアプリケータの自律性を改善する。アプリケータ部材は、拭い取り部材を通過させるに際して非常に良好な変形性を有することができ、したがって、アパーチャの中の製品および部材上の均質な製品の膜を保持することを可能にすることができる。製品は、塗布中に徐々に解放されてよい。本発明によるアプリケータは、したがって、製品を保持および解放することが高度に可能である。アプリケータはまた、唇の上で製品の筋が形成されることを最小にすることができる。
【００１７】
部材の厚さは０．３ｍｍから３ｍｍの間であってよい。部材の「厚さ」とは、その長手方向軸に対して垂直に測定された、その横断方向寸法を指す。円形断面を有する部材の場合、その厚さはその直径に相当する。部材が長円形断面、たとえば楕円形断面を有する場合、厚さは短軸の寸法に相当する。厚さは、具体的には、部材に沿って中ほどで測定されてもよい。したがって、部材は比較的薄く、アプリケータ部材に大きな可撓性を与えることを可能にする。アプリケータ部材の部材のすべては、多かれ少なかれ同じ厚さを有することができる。アプリケータ部材の２つの部材の厚さの差は、最小厚さに対する厚さの差と定義され、５０％未満、さらに良いのは４０％未満、よりさらに良いのは３０％とすることができる。そのうえ、塗布中の快適さは、部材の薄い厚さおよびアプリケータ部材の可撓性が与えられれば改善可能である。
【００１８】
少なくとも１つのアパーチャは、少なくとも１つの平面内に、閉じた輪郭を有することができる。
【００１９】
アプリケータ部材は、略平坦な形状を有することができる。したがって、上記の閉じた輪郭は、平坦な（flattening）平面に対して垂直な方向にアプリケータ部材を見たときに見ることができる。ステムは、この偏平な平面と平行に、またはこれに対して傾いて、たとえば１°から３５°の間の角度をなして、長手方向軸に沿って延在することができる。
【００２０】
アプリケータ部材は、フレームまたは中心コアを形成する１つまたは複数の主部材と、このフレームまたは中心コアに接続された少なくとも２つの二次部材と、を備えることができる。
【００２１】
主部材の厚さは０．５ｍｍから３ｍｍの間、さらには０．５ｍｍから２．５ｍｍの間であってよい。二次部材の厚さは、１．５ｍｍ未満、たとえば０．５ｍｍから１．５ｍｍの間、さらに良いのは０．５ｍｍから１ｍｍの間、たとえば約０．８ｍｍであってよい。主部材の厚さは、二次部材の厚さよりも薄くてよい。好ましくは、部材は糸状である。
【００２２】
部材の断面は、以下のリスト、すなわち、円形、卵形、長円形、たとえば楕円形、丸い頂点を持つもしくは持たない多角形、たとえば三角形、矩形、または方形から選択された形状を有することができるが、このリストは限定するものではない。部材は、必要であれば、中空とすることができる。好ましくは、部材は中実の断面を有する。部材は、丸い自由端を有してもよいし、テーパの付いた自由端を有してもよいし、尖った自由端を有してもよい。
【００２３】
アプリケータ部材は、好ましくは互いとほぼ平行な２つの対向する主塗布面を規定することができる。２つの面の間隔は、０．５ｍｍ未満変化してもよい。２つの対向する主塗布面の間隔は部材によって規定される。したがって、部材の厚さは、対向する塗布面の間隔を規定することができる。主塗布面の間隔、言い換えればアプリケータ部材の厚さは、主塗布面の間で多かれ少なかれ一定とすることができる。この間隔は、３ｍｍ未満、または２．５ｍｍ未満、さらに良いのは２ｍｍ未満であってよい。部材のほぼすべては、前記間隔を規定する同じ横方向寸法を有することができる。
【００２４】
「主塗布面」とは、唇に製品を塗布するために唇と接触することを意図したアプリケータ部材の表面を指す。主塗布面は、平面、凹状、または凸状の包膜（envelope）を有することができる。
【００２５】
主塗布面に対して垂直に見たとき、アプリケータ部材は、輪郭を有することができる、輪郭の形状は次のリスト、すなわち、涙形、滴形、ピーナッツ形、卵形、楕円形、長円形、規則的または不規則な多角形、たとえば三角形、矩形、方形、菱形、六角形の形態、クリスマスツリーの形状、またはトウモロコシの形状から選択されるが、このリストは限定するものではない。アプリケータ部材は、全体的な形状が木の葉、羽根、または積み重なった鱗状であってよい。
【００２６】
アプリケータ部材は、好ましくはテーパエンド部品を備え、メイクアップの正確な塗布を可能にする。エンド部品は、傾斜した縁がなくてもよい。
【００２７】
部材は、少なくとも部分的にまたは完全に長手方向、横断方向、または斜めに、直線的にまたは曲線的に、たとえば円形に延在することができ、このリストは限定するものではない。
【００２８】
少なくとも２つの部材は同心であってよい。少なくとも２つの部材は、互いに平行に延在してよい。２つの部材は、別の部材によって、たとえばそれに対して垂直に延在する部材によって、互いに接続されてよい。少なくとも２つの部材は、ステム以外に互いの間の接続を持たなくてよい。
【００２９】
アパーチャは、その長手方向軸に沿って測定された、少なくとも６ｍｍ、さらに良いのは少なくとも７ｍｍ、さらには少なくとも８ｍｍの長手方向寸法を有することができる。アパーチャの長手方向寸法は、前記アパーチャを規定する２つの部材の最も遠位の点の間で測定された前記アパーチャの最大寸法を意味すると理解される。アパーチャの長手方向寸法は、アプリケータ部材の長手方向とほぼ平行であってもよいし、それに対してほぼ垂直であってもよい。
【００３０】
２つの連続する部材の間隔は、０．５ｍｍから４ｍｍの間、さらに良いのは０．５ｍｍから３ｍｍの間であってよい。
【００３１】
アプリケータ部材は、フロッキング（flocking）を備えることができる。あるいは、アプリケータ部材はフロッキングを持たなくてもよい。フロッキングが存在することによって、唇の上でのアプリケータ部材の摺動を改善することを可能にすることができる。フロッキングが存在するか否かに関する選択は、たとえば製品の流動性（rheology）に応じて行うことができる。部材が完全にフロック加工（flocked）されるまたは完全にはフロック加工されないことが可能である。
【００３２】
フロッキングの毛の長さは、アプリケータ部材がその主塗布面のうちの１つに対して垂直に見えるときにアプリケータ部材内のアパーチャが見えないように選択され得る。言い換えれば、フロッキングの毛は、部材の間のアパーチャを部分的に満たしてもよいし、さらにはアパーチャを完全に満たしてもよい。フロッキングの毛の長さは、毛がアパーチャを隠すように選択され得る。アプリケータ部材を見ると、後者がアパーチャを有することを実現することは可能ではない。フロッキングの毛の長さは、たとえば０．２ｍｍから２．５ｍｍの間、さらには０．５ｍｍから２ｍｍの間、さらに良いのは０．８ｍｍから１．２ｍｍの間であってよい。フロッキングの毛の長さは、アパーチャの一方の縁とアパーチャの反対側の縁との間の距離の半分よりも長いか、アパーチャの一方の縁とアパーチャの反対側の縁との間の距離の半分に等しい。
【００３３】
フロッキングは、単一の種類の毛を備えてもよいし、毛、たとえば異なる性質を有するおよび／または異なる長さを有するおよび／または異なる直径を有する毛の混合物を備えてもよい。
【００３４】
アプリケータ部材は、その視認できる表面のほぼすべてにわたってフロック加工されてよい。必要であれば、製品を塗布するために使用されるアプリケータ部材の表面のみをフロック加工することが可能である。
【００３５】
アプリケータ部材はステムの端部に取り付けられてよい。ステムは、他方の端において、容器を閉鎖するように構成された把持部材に固定され得る。
【００３６】
その長手方向軸に沿って測定されたアプリケータ部材の長さは、その長手方向軸に沿って測定されたステムの可視長の半分よりも短い、さらに良いのは１／３よりも短い、よりさらに良いのは１／４よりも短くてもよい。
【００３７】
アプリケータ部材は、ステムの長手方向軸と角度αを形成する長手方向軸に沿って延在する。角度αは１°から３５°の間であってよい。
【００３８】
アプリケータ部材は、射出成形されたまたは機械加工された本体を備えることができる。アプリケータ部材は、熱可塑性材料および／またはエラストマーから、たとえばＰＶＣ、ＥＶＡ、ラテックス、シリコーン、ニトリル、ＥＰＤＭ、ブチル、ハイトレル（登録商標）、ペバックス（登録商標）、サントプレーン（登録商標）、ＳＩＳ、ＳＥＢＳ、ＰＵ、ＰＥＴ、ＰＳ、ポリオレフィン、特にＰＥまたはＰＰから製造され得る。
【００３９】
アプリケータ部材は、前述のステムの内側に挿入されるエンドピースを備えることができる。エンドピースは、アプリケータ部材の偏平な平面と平行な、またはこれに対して傾いた、長手方向軸に沿って延在することができる。エンドピースは、たとえば１から３５°の角度で傾いてよい。
【００４０】
アプリケータ部材は、ステムに取り付けられてよく、特に接着結合、クランピング、圧力嵌め、スナップ止め、ねじ留め、ステープル留め（stapling）、クリンピングによってステムに固定されてよい。あるいは、アプリケータ部材は、ステムと一体となって成形されてよい。ステムは、可撓性であってもよいし、剛性であってもよい。
【００４１】
アプリケータ部材は、フレームの上に延在する膜、ウェブ、またはメッシュを持たなくてもよく、メッシュの厚さはフレームの厚さに対して非常に薄く、具体的にはその３０％未満または２０％未満である。アプリケータ部材は磁性であってもよいし、磁化可能であってもよい。
【００４２】
アプリケータ部材は金属を含まなくてよく、それによって、たとえばアプリケータ部材を電子レンジの中に置くことが可能である。
【００４３】
アプリケータ部材は、２つの平面の間に完全に含まれてよく、この２つの平面は、アプリケータ部材を正面から、すなわち前記平面に垂直な方向に見たとき、アプリケータ部材の輪郭を規定する主部材に基づく。
【００４４】
アプリケータ部材は、相似性（homothety）によって互いまたは互いの像とほぼ平行な複数の部材を備えることができる。
【００４５】
アプリケータ部材は、同心部材を備えることができる。
【００４６】
アパーチャは、アプリケータ部材を上から見たとき、異なる大きさおよび／または形状を有することができる。
【００４７】
アパーチャのうちの少なくともいくつかは、略細長い形状を有することができる。
【００４８】
アパーチャのうちの少なくともいくつかは、円形、または卵形と異なる、または規則的もしくは不規則な多角形の形状と異なる形状を有してもよい。
【００４９】
アパーチャの中では、このアパーチャを規定する２つの部材の間の距離は、常に、製品が毛管作用によって保持されることが可能であるのに十分に小さくてよい。
【００５０】
アプリケータ部材を主塗布面に対して垂直な方向で見たとき、アパーチャの占める全断面は、フロッキングを無視すると、部材の占める表面積よりも大きくてよい。
【００５１】
好ましくは、アプリケータ部材は、閉じた輪郭を有するフレームを規定し、たとえばステムまたはアプリケータのステムに固定されたエンドピースに接続される、周辺部材を備える。
【００５２】
ステムまたはエンドピースは、少なくとも１つのアパーチャの辺縁を少なくとも部分的に規定することができる。
【００５３】
フレームは、ステムの長手方向軸に対してある角度をなすまたはなさない長手方向軸に沿って略細長い形状を有することができ、フレームは特に長手方向軸と同じ平面にあり、この平面は、たとえばアプリケータ部材の偏平な平面に対して垂直である。
【００５４】
好ましくは、偏平な平面に対して垂直に見たアプリケータ部材は、幅に対する長さの比が３より小さい、または、さらに良いのは２より小さい。
【００５５】
このフレームに接続される部材はすべて同じように向けられ、一実装例では、たとえば、すべて横断方向に向けられる。
【００５６】
アプリケータ部材は交差する部材を持たないことが可能である。
【００５７】
部材のうちの少なくともいくつかは、山形の形態であってよい。
【００５８】
部材のうちの少なくともいくつかは、長手方向軸に沿って一定の断面積を有することができる。
【００５９】
アプリケータの把持部材は、容器を閉鎖するための部材として働き、たとえば容器にねじ留めすることによって係合することができる。容器は、アプリケータの把持部材によって漏れのないように閉鎖されてよい。
【００６０】
デバイスは、アプリケータ部材を拭い取るための部材を備えることができる。拭い取り部材は、たとえば、容器の首部に配設される。拭い取り部材は、アプリケータ部材上での満足のいくような製品の配置を保証しながら、ステムを清潔に保ち、ユーザにとって満足のいくような外観をステムに与えるように、ステムを完全に拭い取ることを可能にすることができる。
【００６１】
あるいは、デバイスが拭い取り部材を持たないことが可能である。
【００６２】
拭い取り部材は、ステムの最大寸法よりも小さい直径を断面に有する拭い取りオリフィスを規定することができる。拭い取り部材は、円形、非円形、多角形、波を有する、スリットを有する、拭い取りオリフィスを規定することができ、波やスリットは、半径方向であるまたは拭い取りオリフィスに接する。拭い取りオリフィスは、任意で、起伏を備えるリップによって規定されてよく、起伏は、リップの開口によってアプリケータ部材が通過するとき拭い取りオリフィスをより容易に広げることを可能にする。起伏の数は３から１２の間であってよい。拭い取りリップは、容器の長手方向軸とある角度をなす母線を有する、容器の底面の方向に収束する円錐の形態で、全体的に延在することができる。あるいは、拭い取りリップは、デバイスの長手方向軸に対して垂直な中央平面内に、または容器の出口の方向に収束する円錐の形態で、全体的に延在する。
【００６３】
拭い取り部材は、エラストマー材料から製造されてよい。
【００６４】
拭い取り部材はまた、何らかの他の方法で製造されてよく、たとえば分割され得る発泡体（block of foam）を備えてよい。
【００６５】
拭い取り部材は、必要であれば、調整可能とすることができる。
【００６６】
拭い取り部材は、たとえば、特許文献１１、特許文献１２、特許文献１３、特許文献１４、特許文献１５、および特許文献１５に記載されている通りである。
【００６７】
ステムは、好ましくは比較的に剛性であり、製品を塗布するために使用中に視認可能に変形しない。
【００６８】
ステムは、拭い取り部材を静止状態に保ち、拭い取り部材を変形させないために、アプリケータが容器内の適所にあるとき、拭い取り部材の領域に配設された狭窄部を有することができる。
【００６９】
アプリケータは、アプリケータ部材それ自体の上以外の任意の場所に指示手段を備えることができ、アプリケータ部材は、この指示手段に対してあらかじめ規定された角度位置にあり、したがって、指示手段によって与えられるアプリケータの位置は、使用者の唇に対して塗布面のあらかじめ規定された位置に対応する。
【００７０】
指示手段は、把持部材上に配設され得る。把持部材は、少なくとも１つの平坦な部品、たとえば２つの平坦な部品、さらには４つの平坦な部品を備えることができ、平坦な部品の位置は、アプリケータ部材の２つの対向する塗布面に対応する。指示手段は、刻印または色付きのマークなどの視覚的マーカも備えることができる。
【００７１】
デバイスは、アプリケータ部材が容器の中で動かされている間、製品を撹拌することを可能にするように設計され得る。アプリケータ部材は、製品がアプリケータ部材と容器の内部表面の間を通過することを可能にする、隆起またはねじ山などの１つまたは複数の優先通路を備えることができる。アプリケータ部材は、所望の撹拌を得るために、容器の内部表面から少し離れた距離に位置してよい。この撹拌は、たとえば、塗布の前に製品の複数の相を混合することを可能にすることができる。相には、たとえば、ワックス、色素、ポリマー、溶媒、または油が含まれ得る。
【００７２】
あるいは、デバイスは、容器に含まれる比較的大量の製品を空にするおよび／または異なる相を混合することを可能にする容量可変チャンバを有するスクレーパシステムを備える。
【００７３】
アプリケータ部材はまた、可撓性チューブまたはポンプおよび／もしくはピストンを有する容器の端部に取り付けられ、たとえばアプリケータ部材に形成された管を通してアプリケータ部材に製品を供給することを可能にし、管開口は、たとえばアパーチャのうちの少なくとも１つへと通じる。
【００７４】
本発明は、その非限定的な実装例の以下の詳細な説明を読み、添付の図面を検討することから、さらによく理解されよう。
【図面の簡単な説明】
【００７５】
【図１】本発明による包装および塗布デバイスの一例の概略部分斜視図である。
【図２ａ】図１のアプリケータ部材の側面図である。単独で示されているが、図２ａと図２ｂは、それぞれ矢印ＡおよびＢに沿って互いに垂直である。
【図２ｂ】図１のアプリケータ部材の側面図である。単独で示されているが、図２ａと図２ｂは、それぞれ矢印ＡおよびＢに沿って互いに垂直である。
【図３】図２ａのＩＩＩ上での断面図である。
【図４】図１から図３のアプリケータ部材の使用法を示す図である。
【図５ａ】変形実施形態の詳細図である。
【図５ｂ】変形実施形態の詳細図である。
【図６ａ】変形実施形態の、図２に類似した図である。
【図６ｂ】変形実施形態の、図２に類似した図である。
【図６ｃ】変形実施形態の、図２に類似した図である。
【図６ｄ】変形実施形態の、図２に類似した図である。
【図６ｅ】変形実施形態の、図２に類似した図である。
【図６ｆ】変形実施形態の、図２に類似した図である。
【図６ｇ】変形実施形態の、図２に類似した図である。
【図６ｈ】変形実施形態の、図２に類似した図である。
【図６ｉ】変形実施形態の、図２に類似した図である。
【図６ｊ】変形実施形態の、図２に類似した図である。
【図６ｋ】変形実施形態の、図２に類似した図である。
【図６ｌ】変形実施形態の、図２に類似した図である。
【図６ｍ】変形実施形態の、図２に類似した図である。
【図６ｎ】変形実施形態の、図２に類似した図である。
【図６ｏ】変形実施形態の、図２に類似した図である。
【図６ｐ】図６ｏの矢印Ｃに沿った側面図である。
【図６ｑ】図６ｏまたは図６ｐのＤ−Ｄに沿った断面図である。
【図７】一変形実施形態の概略部分斜視図である。
【図８ａ】拭い取り部材の一変形実施形態を示す図である。
【図８ｂ】拭い取り部材の一変形実施形態を示す図である。
【図８ｃ】拭い取り部材の一変形実施形態を示す図である。
【図８ｄ】拭い取り部材の一変形実施形態を示す図である。
【図９】一変形実施形態の概略部分斜視図である。
【図１０】本発明による変形デバイスの立面図である。
【図１１】図１０のデバイスのアプリケータ部材を示す図である。
【図１２】アプリケータ部材を収容することができる変形容器を示す図である。
【図１３】アプリケータ部材を収容することができる変形容器を示す図である。
【図１４】アプリケータ部材を収容することができる変形容器を示す図である。
【発明を実施するための形態】
【００７６】
図１は、容器２とアプリケータ３とを備える包装および塗布デバイス１を示す。容器２は、唇に塗布されることを意図した製品Ｐ、たとえば液体リップスティック、リップグロス、またはケア製品を含む。
【００７７】
アプリケータ３は、図２ａ、図２ｂ、および図３でより詳細に示される、その近位端で把持部材５に、その遠位端でアプリケータ部材６に接続されたステム（stem）４を備える。
【００７８】
把持部材５は、容器２のための漏れのない閉塞部材を構成し、たとえば容器２の首部にねじで留められるように設計された雌ねじ付きのスカート部を備え、容器２は、対応する雄ねじを備えることができる。
【００７９】
デバイス１は、容器２の首部の中に固定された拭い取り部材８も備えることができる。
【００８０】
説明する例では、ステム４は円形断面を有するが、ステム４が何らかの他の断面を有する場合、これは本発明の範囲から逸脱しない。ステム４は、中実であってもよいし、中空であってもよい。ステム４の最大外径は、たとえば３ｍｍから６ｍｍの間であり、たとえば約４ｍｍまたは５ｍｍである。ステム４は比較的短くてよい。ステムの可視長は、たとえば１０ｍｍから４０ｍｍの間である。
【００８１】
その長手方向軸Ｘに沿って測定されたアプリケータ部材の長さＬは、その長手方向軸Ｙに沿って測定されたステムの可視長の半分よりも短くてよい。
【００８２】
図２ａ、図２ｂ、および図３に示されるように、アプリケータ部材６は、本体９を備え、本体９は、好ましくはフロッキング（flocking）で覆われる。変形実施形態では、本体９は、フロッキングを持たなくてよい。
【００８３】
本体９は、少なくとも部分的に、好ましくは完全に、成形によって、たとえば射出成形によって、たとえば次のリスト、すなわち、熱可塑性材料、熱可塑性エラストマー、ハイトレル（登録商標）などの熱可塑性ポリエステルエラストマー、たとえば、ニトリル、シリコーン、ＥＰＤＭ、ＳＥＢＳ、ＳＩＳ、ＰＵ、ＥＶＡ、ＰＶＣ、ＰＥ、ＰＥＴ、ＰＰから選択された材料を使用して、製造されてよいが、このリストは限定するものではない。
【００８４】
本体９は、少なくとも部分的に、ステム４が製造される材料よりも可撓性の高い材料から製造されてよい。
【００８５】
アプリケータ部材６は磁性であってよく、必要であれば、本体９がたとえばゼロでない磁化率を有する粒子を含むことが可能である。
【００８６】
アプリケータ部材６は、図２ｂおよび図３に示されるように、好ましくはステム４の長手方向軸Ｙに対してその長手方向軸Ｘが角度αをなして延在する。
【００８７】
より具体的には、アプリケータ部材６は、好ましくは、略平坦な形状を有する。角度αは、たとえば１から３５°である。
【００８８】
アプリケータ部材６は、長手方向、横断方向、または斜めの部材１６、１７の間に形成されるアパーチャ１５を備える。より正確には、当該の例では、アプリケータ部材６は、フレーム（frame）を形成する主部材１６をその周囲に備え、また、その端部においてこのフレームに接続された二次部材１７も備え、それぞれは、たとえば図示のように、アプリケータの遠位端の方向に曲げられる。
【００８９】
主部材１６は、円形断面を有することができる。
【００９０】
図３に示されるように、主部材１６の厚さｅ１は、二次部材１７の厚さｅ２よりも厚くすることができる。しかし、厚さｅ１およびｅ２は、好ましくは、互いと著しく異ならない。単一のアプリケータ部材の２つの部材１６および１７の厚さｅ１とｅ２の差は、５０％より小さくてもよいし、４０％より小さくてもよく、さらに良いのは３０％より小さい、すなわち｜ｅ１−ｅ２｜／ｅ２≦０．５である。
【００９１】
アプリケータ部材６は、２つの対向する主塗布面１１、１２を規定する。厚さｅは、２つの対向する塗布面の間で測定された距離である。
【００９２】
アパーチャ１５は、長手方向寸法ｌを有する。２つの連続する部材１７の間隔に相当する横断方向寸法ｄは、０．５ｍｍから４ｍｍの間、さらに良いのは０．５ｍｍから３ｍｍの間である。
【００９３】
製品は、毛管作用によって部材１６と１７の間のアパーチャ１５の中に、および図３に示されるフロッキングの毛の上に保持され、これらのところでは、毛管作用によってアプリケータ部材上に保持される製品Ｐの層を見ることが可能である。
【００９４】
フロッキングの毛の長さは、好ましくは、アプリケータ部材がその主塗布面のうちの１つに対して垂直に見えるときにアプリケータ部材内のアパーチャが見えないように選択される。
【００９５】
アプリケータ部材６は、図４に示されるように、唇の表面に適合されるために容易に変形され得る。
【００９６】
部材１６、１７の断面は、任意の所望の形状、たとえば、図５ａに示されるような円形、または図５ｂに示されるような矩形、または他の任意の形状を有してよい。
【００９７】
代替形態では、フレームを形成する主部材１６は、図６ａに示されるように尖った、または図６ｃに示されるように丸い、または図６ｂに示されるように滴の形態をした、自由端を持つ略方形形状を有する。主部材１６はまた、図６ｄおよび図６ｆに示されるように菱形であってもよいし、図６ｇおよび図６ｌに示されるように六角形であってもよいし、さらには図６ｅに示されるようにピーナッツ形であってもよいし、図６ｈに示されるように木の葉形であってもよい。
【００９８】
二次部材１７は、図６ａに示されるように横断方向であってもよいし、図６ｃまたは図６ｇに示されるように少なくとも部分的に長手方向であってもよいし、または図６ｅから図６ｉに示されるように斜めであってもよい。あるいは、二次部材１７はまた、図６ｌおよび図６ｋに示されるように円形であってもよい。
【００９９】
フレームは、以前に示したように連続であってもよいし、図６ｊおよび図６ｎに示されるように中断されてもよい。
【０１００】
一代替形態では、アプリケータ部材は、図６ｉに示されるように、フレームではなくむしろ、二次部材１７が接続される中心コアを形成する主部材を備えることができる。
【０１０１】
図６ｏから図６ｑに示されるアプリケータ部材６の別の例示的な実施形態によれば、アプリケータ部材６は、少なくとも部分的に長手方向軸Ｘに沿ってステム４の長手方向軸Ｙに対して１０°より大きい、たとえば約２５°の角度で傾いて延在する。
【０１０２】
アプリケータ部材６は魚の骨のような形状を示し、主部材１６は複数の離隔された二次部材１７を担持する。
【０１０３】
２つの連続する二次部材１７の間隔は、たとえば０．２ｍｍよりも大きく、たとえば０．５ｍｍに等しい。
【０１０４】
アプリケータ部材６は、ステム４の内部に挿入されたエンドピース（全体は図示せず）を介してステム４に取り付けられ得る。
【０１０５】
エンドピース（全体は図示せず）は、長手方向軸に沿って、主アプリケータ部材１６の長手方向軸Ｘに対して傾いて延在することができる。
【０１０６】
部材１６、１７の断面は、好ましくは円形である。
【０１０７】
部材１６、１７によって規定された２つの主塗布面１１０、１２０の間隔は、１．２ｍｍよりも大きく、たとえば主部材１６に沿って測定された約１．５ｍｍである。
【０１０８】
二次部材１７は、図６ｏに示されるように、アプリケータ部材６の自由端１３０に向かって凹状である円弧形を有することができる。
【０１０９】
二次部材１７は、図６ｑに示されるように、主部材１６の長手方向軸Ｘに対して垂直な断面で見たとき、円弧形を有することができる。凹面１１０は、図６ｐに示されるように、ステム４の長手方向軸Ｙがステム４の下に延在する側の方に向けられてよい。ステム４は、Ｘ軸に対して面１２０と同じ側にある。
【０１１０】
２つの主塗布面１１０、１２０は、断面において異なる曲率を有することができる。
【０１１１】
部材１６、１７は、丸い自由端１４０を有してもよいし、テーパの付いた自由端１４０を有してもよいし、尖った自由端１４０を有してもよい。
【０１１２】
アプリケータ部材６の幅ｗは、自由端１３０に近づくとき、減少してよい。
【０１１３】
さらなる代替形態として、アプリケータ部材６は、図６ｆ、図６ｇ、および図６ｈに示されるように、フレームと中心コアの両方を備えることができる。
【０１１４】
図６ｍに示されるように、部材は、互いに関節で接合されてよい。この例では、レンズ形を有する２つの同心部材１６、１７は、接合部材２０によって接続される。
【０１１５】
ステム４は、図示のように直線をなす長手方向軸Ｙを有してもよいし、あるいは、曲線状の軸または傾いた軸を有してもよい。例を挙げると、図７は、把持部材５から出たところで曲がっているステム４を示す。
【０１１６】
図１に示される例では、拭い取り部材８は、アプリケータ部材６およびステム４を拭い取るのに適した寸法を有する拭い取りオリフィス１１を規定する可撓性リップを備える。
拭い取り部材８は、拭い取りリップを有することができ、拭い取りリップは、波形、スリット、または調整可能であってもよいし、調整可能でなくてもよい。図８ａは円形の拭い取りオリフィス１１を示し、図８ｂおよび図８ｃはそれぞれ半径方向であり拭い取りオリフィスに接するスリットを有する拭い取り部材を示し、図８ｄは波形リップを有する拭い取り部材を示す。
【０１１７】
図９に示される別の変形実施形態では、アプリケータの把持部材５は、製品を含む容器のための閉鎖部材として機能しない。この図では、製品は、たとえば成型されたリップスティックの形態で、ケースの中に含まれ得ることがわかる。ケースは、アプリケータを収納することができる。
【０１１８】
図１０は、塗布中に製品を含む容器２にアプリケータ部材６が固着される変形デバイスを示す。
【０１１９】
アプリケータ部材６は、図１１に示されるように、容器２の内部の、製品を含む空間４１と一方の端で連通し、他方の端でアパーチャ１５のうちの１つの中へと開いている内部管４０を備えることができる。容器２は、たとえば、ユーザがその壁を押すことによって塗布面１１および１２に供給するために製品を管４０に強制的に通過させることができるように、可撓性の壁を有して製造される。エンドピース１０は、たとえば、容器２の首部４５に挿入される。
【０１２０】
あるいは、管４０はポンプ４５に接続されてよく、デバイスは、図１２に示されるように、製品が管を通って、次いでアプリケータ部材上に与えられるように、ポンプ４５とピストン４６とを備える。
【０１２１】
必要であれば、容器は、特許文献１７の教示により、図１３に示されるように、互いに対して順番に容器の長手方向軸のまわりで動くことが可能な２つの部品２ａおよび２ｂを有するように製造されてよい。これらの部品２ａおよび２ｂは、たとえば容器内部の容量が可変の２つのチャンバを規定し、部品２ａまたは２ｂのうちの一方が他方に対して回転すると、チャンバのうちの一方の容量が減少し、このチャンバから他方のチャンバへと製品が通過する。アプリケータ部材６は、製品の経路に置かれてよい。
【０１２２】
容器２はまた、図１４に示されるように、アプリケータ部材６の外径にほぼ相当する内径を有するように製造されてよい。アプリケータ部材６は、たとえば、容器の内部表面と接触する、または近距離のところ、たとえば１ｍｍ以下の距離のところに位置する。容器およびアプリケータ部材は、たとえば、特許文献１８の教示により製造される。容器２は、たとえば、外部ケーシング６１を備えた二重壁である。
【０１２３】
言うまでもなく、本発明は、説明したのみの例に限定されるものではない。図示の例の構造的詳細は、示していない変形の一部として組み合わされてよい。
【０１２４】
アプリケータ部材はまた、たとえば、金属または木から製造されてよい。
【０１２５】
「〜を備える（comprising a）」という表現は、異なる規定がない限り、「少なくとも１つを備える」と同義であると理解されるべきである。
【符号の説明】
【０１２６】
１  包装および塗布デバイス
２  容器
２ａ  部品
２ｂ  部品
３  アプリケータ
４  ステム
５  把持部材
６  アプリケータ部材
８  拭い取り部材
９  本体
１０  エンドピース
１１  主塗布面、拭い取りオリフィス
１２  主塗布面
１５  アパーチャ
１６  主部材、主アプリケータ部材、同心部材
１７  二次部材、同心部材
２０  接合部材
４０  管
４１  空間
４５  首部、ポンプ
４６  ピストン
６１  外部ケーシング
１１０  主塗布面、凹面
１２０  主塗布面
１３０  自由端
１４０  自由端
【図１】
2019022666.tif 000003
【図２ａ】
2019022666.tif 000004
【図２ｂ】
2019022666.tif 000005
【図３】
2019022666.tif 000006
【図４】
2019022666.tif 000007
【図５ａ】
2019022666.tif 000008
【図５ｂ】
2019022666.tif 000009
【図６ａ】
2019022666.tif 000010
【図６ｂ】
2019022666.tif 000011
【図６ｃ】
2019022666.tif 000012
【図６ｄ】
2019022666.tif 000013
【図６ｅ】
2019022666.tif 000014
【図６ｆ】
2019022666.tif 000015
【図６ｇ】
2019022666.tif 000016
【図６ｈ】
2019022666.tif 000017
【図６ｉ】
2019022666.tif 000018
【図６ｊ】
2019022666.tif 000019
【図６ｋ】
2019022666.tif 000020
【図６ｌ】
2019022666.tif 000021
【図６ｍ】
2019022666.tif 000022
【図６ｎ】
2019022666.tif 000023
【図６ｏ】
2019022666.tif 000024
【図６ｐ】
2019022666.tif 000025
【図６ｑ】
2019022666.tif 000026
【図７】
2019022666.tif 000027
【図８ａ】
2019022666.tif 000028
【図８ｂ】
2019022666.tif 000029
【図８ｃ】
2019022666.tif 000030
【図８ｄ】
2019022666.tif 000031
【図９】
2019022666.tif 000032
【図１０】
2019022666.tif 000033
【図１１】
2019022666.tif 000034
【図１２】
2019022666.tif 000035
【図１３】
2019022666.tif 000036
【図１４】
2019022666.tif 000037
【外国語明細書】
2019022666000001.pdf